Podtech/llm-jp-corpus-v4-ja_patent huggingface dataset:
【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
表示画面と、前記表示画面を回動可能に支持する角度調整手段と、
所定の位置における前記表示画面と任意の位置における前記表示画面との成す角度を検出する検出手段と、
前記表示画面の視野角を前記角度に応じて設定する設定手段とを備え、
前記角度が一の角度に調整され、前記一の角度に応じた前記視野角が前記設定手段によって設定されると、設定された前記視野角に基づいて前記一の角度以外の前記角度に応じた前記視野角が自動的に設定されることを特徴とする表示装置。
【請求項２】
表示画面と、前記表示画面を回動可能に支持する角度調整手段と、
所定の位置における前記表示画面と任意の位置における前記表示画面との成す角度を検出する検出手段と、
前記角度に応じたコントラスト情報に基づいて前記表示画面の視野角を設定する設定手段とを備え、
前記角度が一の角度に調整されると、前記設定手段によって、前記一の角度に応じたコントラスト情報が設定され、設定された前記コントラスト情報に応じた前記視野角が前記一の角度に対して設定されるとともに、設定された前記コントラスト情報に基づいて前記一の角度以外の前記角度に応じたコントラスト情報が設定され、設定された前記コントラスト情報に応じた前記視野角が自動的に設定されることを特徴とする表示装置。
【請求項３】
表示画面と、前記表示画面を回動可能に支持する角度調整手段と、
所定の位置における前記表示画面と任意の位置における前記表示画面との成す角度を検出する検出手段と、
前記表示画面におけるコントラスト情報を前記角度に応じて設定する設定手段とを備え、
前記角度が一の角度に調整され、前記一の角度に応じた前記コントラスト情報が前記設定手段によって設定されると、設定された前記コントラスト情報に基づいて前記一の角度以外の前記角度に応じた前記コントラスト情報が自動的に設定されることを特徴とする表示装置。
【請求項４】
前記表示画面と前記支持手段との成す各角度に対して予め設定された視野角の値又はコントラスト情報を前記各角度に対応する初期値として記憶する記憶手段を備え、
前記設定手段は、前記一の角度に対して設定された前記視野角又は前記コントラスト情報の設定値と、前記記憶手段が記憶する前記一の角度に対応する初期値とに基づいて、前記各角度に応じた前記視野角又は前記コントラスト情報を設定することを特徴とする請求項１乃至請求項３に記載の表示装置。
【請求項５】
前記設定手段は、前記一の角度に対する前記設定値と前記一の角度に対応する初期値との差分を算出し、算出した前記差分を前記各角度に対応する前記各初期値に加算することを特徴とする請求項４に記載の表示装置。
【請求項６】
前記表示画面は液晶ディスプレイを備え、前記設定手段は前記液晶ディスプレイの前記視野角の向きを設定することを特徴とする請求項１、請求項２、請求項４及び請求項５のいずれか１項に記載の表示装置。
【手続補正２】
【補正対象書類名】明細書
【補正対象項目名】００１２
【補正方法】変更
【補正の内容】
【００１２】
【問題を解決するための手段】
上記目的を達成するため本発明は、表示画面と、前記表示画面を回動可能に支持する角度調整手段と、所定の位置における前記表示画面と任意の位置における前記表示画面との成す角度を検出する検出手段と、前記表示画面の視野角を前記角度に応じて設定する設定手段とを備え、前記角度が一の角度に調整され、前記一の角度に応じた前記視野角が前記設定手段によって設定されると、設定された前記視野角に基づいて前記一の角度以外の前記角度に応じた前記視野角が自動的に設定される構成とした。
【手続補正３】
【補正対象書類名】明細書
【補正対象項目名】００１４
【補正方法】変更
【補正の内容】
【００１４】
また、表示画面と、前記表示画面を回動可能に支持する角度調整手段と、所定の位置における前記表示画面と任意の位置における前記表示画面との成す角度を検出する検出手段と、前記角度に応じたコントラスト情報に基づいて前記表示画面の視野角を設定する設定手段とを備え、前記角度が一の角度に調整されると、前記設定手段によって、前記一の角度に応じたコントラスト情報が設定され、設定された前記コントラスト情報に応じた前記視野角が前記一の角度に対して設定されるとともに、設定された前記コントラスト情報に基づいて前記一の角度以外の前記角度に応じたコントラスト情報が設定され、設定された前記コントラスト情報に応じた前記視野角が自動的に設定される構成とした。
【手続補正４】
【補正対象書類名】明細書
【補正対象項目名】００１８
【補正方法】変更
【補正の内容】
【００１８】
また、表示画面と、前記表示画面を回動可能に支持する角度調整手段と、所定の位置における前記表示画面と任意の位置における前記表示画面との成す角度を検出する検出手段と、前記表示画面におけるコントラスト情報を前記角度に応じて設定する設定手段とを備え、前記角度が一の角度に調整され、前記一の角度に応じた前記コントラスト情報が前記設定手段によって設定されると、設定された前記コントラスト情報に基づいて前記一の角度以外の前記角度に応じた前記コントラスト情報が自動的に設定される構成とした。
【手続補正書】
【提出日】平成16年9月7日(2004.9.7)
【手続補正１】
【補正対象書類名】手続補正書
【補正対象項目名】手続補正６
【補正方法】変更
【補正の内容】
【手続補正６】
【補正対象書類名】明細書
【補正対象項目名】図面の簡単な説明
【補正方法】変更
【補正の内容】
【図面の簡単な説明】
【図１】
本発明の方法を用いてエンジンのシリンダヘッド締付圧力測定を行う場合の分解斜視図
【図２】
同じく分解断面図
【図３】
加圧状態を拡大して示す断面図
【図４】
圧力測定フィルムに形成された発色パターンとこの発色パターンから求めた圧力分布曲線と最大圧力決定方法の一例を示す図
【図５】
圧力測定装置の構成例を示すブロック図
【図６】
第１及び第２の圧力測定フィルムを用いて圧力測定を行う方法を示す図
【符号の説明】
１２Ａ  加圧面（シリンダヘッド１２の下面）
１４Ｂ  線状の接触部
１４Ｃ  加圧面（ガスケット１４の上面）
１６  弾性シート（硬質ゴムシート）
１８  第１圧力測定フィルム
２０  スキャナ
２２  第１メモリ
２４  画像切出し部
２６  変換部
２８  第２メモリ
３０  演算部
３２  出力部
４０  第２圧力測定フィルム
Ｃ  発色パターン
Ｄ−Ｄ  接触部を横断する線
Ｅ  第１圧力分布曲線
Ｆ  第２圧力分布曲線
ＦO  拡大した第２圧力分布曲線
ＰH  最大圧力
【手続補正書】
【提出日】平成17年5月27日(2005.5.27)
【手続補正１】
【補正対象書類名】明細書
【補正対象項目名】請求項１
【補正方法】変更
【補正の内容】
【請求項１】
細線が巻回される端子ピンを板材からプレス加工により製造する端子の製造方法において、前記プレス加工により前記端子ピンの一方端がフレーム部分に連結するように前記板材を型抜きするプレス工程と、前記プレス加工により前記端子ピンの角部分に形成された鋭利な返り部分を除去する端子整形工程と、この端子整形工程を行った後、前記端子ピンの一方端と前記フレーム部分との連結部分を切断する第１の切断工程とを行うことを特徴とする端子の製造方法。
【手続補正２】
【補正対象書類名】明細書
【補正対象項目名】請求項４
【補正方法】変更
【補正の内容】
【請求項４】
モータのコイル巻線が巻回される端子ピン、およびモータのステータコアを板材からプレス加工により製造するモータの製造方法において、前記プレス加工により前記端子ピンの一方端、および前記ステータコアがそれぞれフレーム部分に連結するように前記板材を型抜きするプレス工程と、前記プレス加工により前記端子ピンの角部分に形成された鋭利な返り部分を除去する端子整形工程と、この端子整形工程を行った後、前記端子ピンの一方端と前記フレーム部分の連結部分、および前記ステータコアと前記フレーム部分との連結部分を切断する第１の切断工程とを行うことを特徴とするモータの製造方法。
【手続補正３】
【補正対象書類名】明細書
【補正対象項目名】請求項６
【補正方法】変更
【補正の内容】
【請求項６】
請求項４において、前記プレス工程では、前記端子ピンの他方端が前記ステーアコアに連結するように前記板材を型抜きし前記端子整形工程を行った後、前記端子ピンの他方端と前記ステータコアとの連結部分を切断する第２の切断工程を行うことを特徴とするモータの製造方法。
【手続補正４】
【補正対象書類名】明細書
【補正対象項目名】０００７
【補正方法】変更
【補正の内容】
【０００７】
【課題を解決するための手段】
上記課題を解決するため、本発明では、コイル巻線などといった細線が巻回される端子ピンを板材からプレス加工により製造する端子の製造方法において、前記プレス加工により前記端子ピンの一方端がフレーム部分に連結するように前記板材を型抜きするプレス工程と、前記プレス加工により前記端子ピンの角部分に形成された鋭利な返り部分を除去する端子整形工程と、この端子整形工程を行った後、前記端子ピンの一方端と前記フレーム部分との連結部分を切断する第１の切断工程とを行うことを特徴とする。
【手続補正５】
【補正対象書類名】明細書
【補正対象項目名】００２８
【補正方法】変更
【補正の内容】
【００２８】
次に、図７（Ａ）に示すように、上記の工程を経てきた２枚の鋼板１３を２枚、それぞれ逆向きに重ね合わせた状態でインサート成形を行う（インサート成形工程）。その結果、図７（Ｂ）に示すように、内ステータコア１２および端子ピン１１は、樹脂部分１４によって一体化するとともに、この樹脂部分１４によって、コイルボビン６および端子部５を備えたインサート成形品１０′が形成される。この状態を上方からみると、各鋼板１３の各々に形成されていた２本の端子１１が互いにずれた位置にあるので、計４本の端子１１が見える。
【手続補正６】
【補正対象書類名】明細書
【補正対象項目名】００３４
【補正方法】変更
【補正の内容】
【００３４】
【発明の効果】
以上説明したように、本発明では、プレス工程で端子ピンを形成した後、プレス加工により端子ピンの角部分に形成された鋭利な返り部分を除去するため、端子ピンの角部分には鋭利な返り部分がない。従って、端子ピンにコイル巻線などといった細線を巻き付けたときでも細線が返り部分で切断してしまうという問題を回避できる。また、返り部分を除去した後（端子整形工程を行った後）、端子ピンの一方端とフレーム部分との連結部分を切断するので、返り部分を除去するための加工を行う際に、端子ピンの一方端とフレーム部分とは連結している状態にある。よって、端子ピンを取り扱う際には、フレーム部分と一体に取り扱えばよいので、返り部分に対する加工を効率よく行うことができる。
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
前面枠と、
前記前面枠に取付けられ、所定の遊技領域を有する遊技盤と、
前記遊技盤の前面側において前記前面枠に対し開閉可能に軸支される扉枠とを備え、
遊技媒体として遊技球を利用する遊技機であって、
前記遊技盤面には、前記遊技球を入賞させる入賞装置が配設され、
前記扉枠の閉状態において、前記前面枠に係止される少なくとも１つの係止部材を前記扉枠の軸支部側の側縁部又はその近傍に設け、前記扉枠の前方向への撓みを規制するようにし、
さらに、前記係止部材の設けられる位置を前記入賞装置に対応する高さ位置としたことを特徴とする遊技機。
【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
表示装置と、
球の入賞しやすい開状態に変換可能な変動入賞装置と、
所定条件の成立に基づき、前記表示装置に図柄の変動表示を行わせ、該変動表示の表示結果が予め定められた表示結果態様であった場合、前記変動入賞装置を開状態に変換制御可能な制御装置と、
を備える弾球遊技機において、
前記制御装置は、
前記変動入賞装置を開状態へ変換する開放開始タイミングを不規則的に設定可能な開放開始タイミング設定手段と、
前記変動入賞装置の開状態への変換に関するタイミングの報知を行うか否かを決定する報知状態決定手段と、
を備えることを特徴とする弾球遊技機。
【請求項２】
前記制御装置は、
遊技を統括的に制御する主制御装置と、
該主制御装置と電気的に接続された従制御装置と、
を有しており、
前記開放開始タイミング設定手段は、前記主制御装置に備えられ、前記報知状態決定手段は、前記主制御装置から変動入賞装置の開状態への変換に関するタイミングデータを受信可能な従制御装置に備えられることを特徴とする請求項１記載の弾球遊技機。
【請求項３】
前記従制御装置は、前記報知状態決定手段により前記変動入賞装置の開状態への変換に関するタイミングの報知を行う決定がされた場合、報知開始後の現時点から前記変動入賞装置の開放開始タイミングまでの所要時間を報知する制御を行うことを特徴とする請求項２記載の弾球遊技機。
【請求項４】
図柄を変動表示可能な変動表示装置を備え、
入賞装置内部の所定領域で球が検出されることに基づき乱数値を抽出し、該乱数値が所定の数値であると前記変動表示装置に特定の表示結果を停止表示させて大当たりを発生する弾球遊技機において、
前記入賞装置は、
入賞球が流入する球流入領域と、特定領域と外れ領域とを設けた回転体と、を備え、
前記球流入領域の最下部に入賞球が達したときに、前記球流入領域の最下部に存在する回転体の何れかの領域に入賞するように構成すると共に、
前記特定領域に入賞した入賞球が前記所定領域に導かれるように構成し、
前記乱数値の更新間隔を前記回転体の回転周期より長く設定し、
前記乱数値の報知を行うか否かを決定する報知状態決定手段を備えることを特徴とする弾球遊技機。
【手続補正２】
【補正対象書類名】明細書
【補正対象項目名】０００１
【補正方法】変更
【補正の内容】
【０００１】
【発明の属する技術分野】
本発明は、弾球遊技機に関する。
【手続補正３】
【補正対象書類名】明細書
【補正対象項目名】００１６
【補正方法】変更
【補正の内容】
【００１６】
請求項４記載の発明は、図柄を変動表示可能な変動表示装置を備え、
入賞装置内部の所定領域で球が検出されることに基づき乱数値を抽出し、該乱数値が所定の数値であると前記変動表示装置に特定の表示結果を停止表示させて大当たりを発生する弾球遊技機において、
前記入賞装置は、
入賞球が流入する球流入領域と、特定領域と外れ領域とを設けた回転体と、を備え、
前記球流入領域の最下部に入賞球が達したときに、前記球流入領域の最下部に存在する回転体の何れかの領域に入賞するように構成すると共に、
前記特定領域入賞した入賞球が前記所定領域に導かれるように構成し、
前記乱数値の更新間隔を前記回転体の回転周期より長く設定し、
前記乱数値の報知を行うか否かを決定する報知状態決定手段を備えることを特徴としている。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】０１２５
【補正方法】変更
【補正の内容】
【０１２５】
請求項４記載の発明に係る弾球遊技機によれば、遊技者に予測し難い乱数値の報知を行うことで、遊技者は大当たり数値が報知されているタイミングに合わせて球を発射させて大当たりを発生させやすくすることができ、これにより、効率的に持ち球を増やすことができると共に、従来のような単調さから開放することができ、遊技の興趣を高めることができる。また、乱数値の更新間隔を回転体の回転周期より長く設定したため、大当たり数値が報知されている間に、少なくとも１回は大当たり状態を発生させるチャンスが得られ、より期待感を有する興趣の高い遊技を行うことができる。
【手続補正１１】
【補正対象書類名】明細書
【補正対象項目名】０１２６
【補正方法】削除
【補正の内容】
【手続補正１２】
【補正対象書類名】明細書
【補正対象項目名】０１２７
【補正方法】削除
【補正の内容】
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
前面枠と、前記前面枠に取付けられる遊技盤と、前記遊技盤の前面側において前記前面枠に開閉自在に取付られるガラス扉枠とを備えた遊技機において、
発射された遊技球を遊技領域に導く誘導レールの一部が、前記ガラス扉枠の開閉軸側のフレーム部分と遊技機正面からみて重複するように形成されるとともに、前記ガラス扉枠に取付けられるガラスの側縁部より外側にはみ出すように形成され、
前記ガラス扉枠の閉状態において前記誘導レールと前記ガラスとの間に介在させることによって前記ガラスを保護するカバー部材を前記ガラス扉枠に設け、
前記カバー部材は、前記誘導レールと前記フレーム部分との重複部分に生じる隙間を塞ぐ被覆部を備え、前記ガラス扉枠とは別部材で構成されるとともに、前記ガラスに略当接するように前記ガラス扉枠に取着されるよう構成され、
さらに、前記ガラス扉枠には、前記ガラスの側縁部を支持する長尺状の縦ガラス支持部材と、前記ガラスの下辺部を支持する長尺状の横ガラス支持部材とが設けられ、
前記縦横両ガラス支持部材の長手方向の一辺は前記ガラス扉枠に固定され、固定されていない側の端部は、前記ガラスを係止するために前記ガラス面に沿って内側に折り返されるとともに、前記端部には前記折り返し部分が切欠かれた状態の切欠き部が形成され、
前記カバー部材は、当該カバー部材の一部が前記切欠き部に嵌合されるように構成され、前記縦ガラス支持部材及び横ガラス支持部材の一部に係合され位置決めされることを特徴とする遊技機。
【手続補正書】
【提出日】平成16年2月19日(2004.2.19)
【手続補正１】
【補正対象書類名】明細書
【補正対象項目名】発明の名称
【補正方法】変更
【補正の内容】
【発明の名称】レーザマーキング装置，及び２次元コード印字方法
【手続補正２】
【補正対象書類名】明細書
【補正対象項目名】特許請求の範囲
【補正方法】変更
【補正の内容】
【特許請求の範囲】
【請求項１】
レーザビームを被加工面に走査しながら照射してマーキングするレーザマーキング装置であって，
レーザ光源と走査光学系との間の光路中に，レーザビームの断面形状を所望の形状および／または所望の大きさに変換するためのスリットが設けられ，
前記スリットと被加工面とは光学的に共役な位置に配置されていることを特徴とするレーザマーキング装置。
【請求項２】
前記スリットの開口部の大きさは可変であり，前記開口部の大きさを制御する制御手段をさらに有することを特徴とする請求項１に記載のレーザマーキング装置。
【請求項３】
前記スリットの開口部は矩形形状であることを特徴とする請求項１または２に記載のレーザマーキング装置。
【請求項４】
前記レーザ光源と前記スリットとの間の光路中に，前記レーザ光源からのレーザ光を導く光ファイバと，前記レーザ光源から出射される前記レーザ光を前記光ファイバに導光する入射光学系と，前記光ファイバから出射した光をコリメートするコリメート光学系とを有することを特徴とする請求項１から３のいずれか１項に記載のレーザマーキング装置。
【請求項５】
レーザビームを走査することにより加工対象物に２次元コードを印字するレーザマーキング方法において，
レーザ発振器とレーザスキャナの間に矩形スリットを配置し，矩形スリットと加工対象物を光学的に共役な位置に配置，矩形のスポット形状でレーザ照射することを特徴とする２次元コード印字方法。
【手続補正３】
【補正対象書類名】明細書
【補正対象項目名】０００５
【補正方法】変更
【補正の内容】
【０００５】
セル９の大きさは，２次元コードの種類や加工対象物毎に異なる。ドット８の大きさはマーキング対象物６に照射されるビーム径により決まる。このビーム径は，ビームエキスパンダ２の倍率やｆθレンズ５の焦点距離を変更しない限り，変えることはできない。これらの部品の変更は，セッティングやアライメントを必要とし，容易ではない。よって従来では，セル９のサイズを変更したいときは，セル９を構成するドット８の数を変更してマーキングしていた。
【手続補正４】
【補正対象書類名】明細書
【補正対象項目名】００１２
【補正方法】変更
【補正の内容】
【００１２】
なお，上記装置において，前記レーザ光源と前記スリットとの間の光路中に，前記レーザ光源からのレーザ光を導く光ファイバと，前記光ファイバに前記レーザ光を導光する入射光学系と，前記光ファイバから出射した光をコリメートするコリメート光学系とを有するよう構成してもよい。
なお、本発明の別の観点によれば、レーザビームを走査することにより加工対象物に２次元コードを印字するレーザマーキング方法において，レーザ発振器とレーザスキャナの間に矩形スリットを配置し，矩形スリットと加工対象物を光学的に共役な位置に配置，矩形のスポット形状でレーザ照射することを特徴とする２次元コード印字方法が提供される。
【手続補正書】
【提出日】平成16年3月29日(2004.3.29)
【手続補正１】
【補正対象書類名】明細書
【補正対象項目名】００１６
【補正方法】変更
【補正の内容】
【００１６】
その理由は、下側スライドの右巻き移動中心線と左巻き移動中心線との交差位置（揺動軸の軸心）は、各々の加工位置における工具ホルダの着座面の略中心部に位置し、上側スライドの右巻き移動中心線と左巻き移動中心線との交差位置は、各々の加工位置における工具ホルダの着座面の略中心部に位置するからである。  そして、各スライドの着座面積を狭小にできることにより、各スライドの質量が低減して慣性質量を低減させることができる。


【手続補正２】
【補正対象書類名】明細書
【補正対象項目名】００４６
【補正方法】変更
【補正の内容】
【００４６】
同様に、上側工具作動装置４０を右巻き加工位置または左巻き加工位置へ揺動により転位させる揺動軸５４は、上側スライド４５の右巻き移動中心線４５Ｒと左巻き移動中心線４５Ｌとが収束する交差位置を軸心にして上側スライド台４２の裏面に締着されている。  この揺動軸５４はその中間胴部５４ａが、基板１の揺動穴１ｂと係合しているので、上側スライド台４２は、リーマボルト４３Ａ、締着ボルト４３Ｂ，４３Ｃ，４３Ｄを取り外すことにより、この揺動軸５４を中心に右巻き加工位置と左巻き加工位置との間で揺動により転位できる。


【手続補正３】
【補正対象書類名】明細書
【補正対象項目名】００６０
【補正方法】変更
【補正の内容】
【００６０】
次の請求項２の発明によれば、各工具作動装置の揺動軸は、各々のスライドの右巻き移動中心線と左巻き移動中心線との交差位置を軸心にして基板上に各々軸支されるようにしたので、各成形工具の工具ホルダを取着する各スライドの各々の右巻き加工位置と左巻き加工位置との各着座面を殆ど共用可能で狭小な着座面積にすることができる。  したがって、各スライドの着座面積を狭小にできることにより、各スライドの質量が低減して慣性質量を低減させることができるので各スライドの高速度化を図ることができる。


【手続補正４】
【補正対象書類名】図面
【補正対象項目名】図１１
【補正方法】変更
【補正の内容】
【図１１】
2003088931.tif 000001
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
ハウジングと、
各々複数の電極を有しそして前記ハウジングの上部に含まれた棒状電極部と、
操作パネルの機能を有しそして前記電極部間に配置された表示装置と、
前記ハウジングの下部に含まれた体重測定装置とを備え、前記ハウジングは、
前記電極に電流を供給する電流供給装置と、
前記電極の電圧を測定する電圧測定装置と、
前記供給された電流値及び測定された電圧値から生体電気インピーダンス値を計算する演算手段とを収容し、前記ハウジングの上部は二つの両側端部を有し、棒状電極部は前記ハウジングの両側端部に沿って配置され、身長差による姿勢変化によって生じるエラーを最小限に抑えるような長さを有していることを特徴とする生体電気インピーダンス測定装置。
【請求項２】
前記表示装置は、体脂肪率に基づいて選択されたダイエット食品や薬品を表示する請求項１に記載の生体電気インピーダンス測定装置。
【請求項３】
前記表示装置は、店のダイエット食品や薬品の場所、価格、在庫状態をさらに表示する請求項２に記載の生体電気インピーダンス測定装置。
【請求項４】
さらにモデムを備え、ダイエット食品及び薬品が店内にない場合は、そのモデムを経てアクセスするインターネットを介して他のフランチャイズ店におけるダイエット食品及び薬品の在庫を問い合わせる請求項２に記載の生体電気インピーダンス測定装置。
【請求項５】
ハウジングと、ハウジングの上部に配置された複数の電極を有する複数の棒状電極部と、操作パネルの機能を有しそして前記電極部間に配置された表示装置と、前記ハウジングの下部に含まれた体重測定装置とを備え、前記ハウジングは、
前記電極に電流を供給する電流供給装置と、
前記電極の電圧を測定する電圧測定装置と、
前記供給された電流値及び測定された電圧値から生体電気インピーダンス値を計算する演算手段とを収容し、前記ハウジングの上部は上部表面と両側端部を備え、前記複数の棒状電極部は前記ハウジングの上部表面の上方を両側端部から円弧状に外に伸びていることを特徴とする生体電気インピーダンス測定装置。
【請求項６】
前記表示装置は、体脂肪率に基づいて選択されたダイエット食品や薬品を表示する請求項５に記載の生体電気インピーダンス測定装置。
【請求項７】
前記表示装置は、店のダイエット食品や薬品の場所、価格、在庫状態をさらに表示する請求項６に記載の生体電気インピーダンス測定装置。
【請求項８】
さらにモデムを備え、ダイエット食品及び薬品が店内にない場合は、そのモデムを経てアクセスするインターネットを介して他のフランチャイズ店におけるダイエット食品及び薬品の在庫を問い合わせる請求項６に記載の生体電気インピーダンス測定装置。
【手続補正２】
【補正対象書類名】明細書
【補正対象項目名】０００５
【補正方法】変更
【補正の内容】
【０００５】
【課題を解決するための手段】
本発明の一つの観点によれば、生体電気インピーダンス測定装置は、ハウジングと、各々複数の電極を有しそして前記ハウジングの上部に含まれた棒状電極部と、操作パネルの機能を有しそして前記電極部間に配置された表示装置と、前記ハウジングの下部に含まれた体重測定装置とを備え、前記ハウジングは、前記電極に電流を供給する電流供給装置と、前記電極の電圧を測定する電圧測定装置と、前記供給された電流値及び測定された電圧値から生体電気インピーダンス値を計算する演算手段とを収容し、前記ハウジングの上部は二つの両側端部を有し、棒状電極部は前記ハウジングの両側端部に沿って配置され、身長差による姿勢変化によって生じるエラーを最小限に抑えるような長さを有していることを特徴とする。
本発明の別の観点によれば、生体電気インピーダンス測定装置は、ハウジングと、ハウジングの上部に配置された複数の電極を有する複数の棒状電極部と、操作パネルの機能を有しそして前記電極部間に配置された表示装置と、前記ハウジングの下部に含まれた体重測定装置とを備え、前記ハウジングは、前記電極に電流を供給する電流供給装置と、前記電極の電圧を測定する電圧測定装置と、前記供給された電流値及び測定された電圧値から生体電気インピーダンス値を計算する演算手段とを収容し、前記ハウジングの上部は上部表面と両側端部を備え、前記複数の棒状電極部は前記ハウジングの上部表面の上方を両側端部から円弧状に外に伸びていることを特徴とする。
本発明の一つの実施の形態によれば、前記表示装置は、体脂肪率に基づいて選択されたダイエット食品や薬品を表示する。
本発明の別の実施の形態によれば、前記表示装置は、店のダイエット食品や薬品の場所、価格、在庫状態をさらに表示する。
本発明のさらに別の実施の形態によれば、前記生体電気インピーダンス測定装置は、さらにモデムを備え、ダイエット食品及び薬品が店内にない場合は、そのモデムを経てアクセスするインターネットを介して他のフランチャイズ店におけるダイエット食品及び薬品の在庫を問い合わせる。
【手続補正３】
【補正対象書類名】明細書
【補正対象項目名】００１５
【補正方法】変更
【補正の内容】
【００１５】
他の外部要素及び内部要素は、第１実施形態に使用されたものと同じである。この第３実施形態で行われる測定手順及び動作は、第１実施形態と一般的に同じである。
【発明の効果】
本発明によれば、体重測定装置が組み込まれ、そして両手間に流れる電流に対する生体電気インピーダンスが測定される。それ故、ユーザは、素足になる必要がなく、高い精度で生体電気インピーダンスを測定することができる。又、電極は棒状で縦方向に配置されるので、身長差による姿勢の変化によって生じるエラーを最小限に抑えることができる。
【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
超音波探触子を用いて、超音波を造影剤が導入された被検査体に対して送受信することにより、被検査体内部を撮像する超音波診断装置にあって、前記超音波探触子が、基本波と、少なくとも前記基本波の２倍高調波とを重畳し、両者の位相関係を制御することにより生成される音圧波形をもつ超音波パルスを送信するよう構成されていることを特徴とする超音波診断装置。
【請求項２】
前記超音波探触子により送信される超音波パルスが、超音波音圧波形の立ち下がりが立ち上がりに比べ急峻な音圧下降強調波形を含んでなることを特徴とする請求項１記載の超音波診断装置。
【請求項３】
前記超音波探触子により送信される超音波パルスが、最大振幅の正音圧側ピーク値が負音圧側ピーク値より大なる最大正圧強調波形を含んでなることを特徴とする請求項１記載の超音波診断装置。
【請求項４】
前記音圧下降強調波形と前記最大正圧強調波形とが、送信モードに応じて切替え可能に構成したことを特徴とする請求項２記載の超音波診断装置。
【請求項５】
前記音圧下降強調波形もしくは前記最大正圧強調波形の超音波パルスを用いて撮像された超音波画像を表示するよう構成したことを特徴とする請求項２記載の超音波診断装置。
【請求項６】
前記造影剤がマイクロバブルを含み、かつ、前記基本波の中心周波数が、前記マイクロバブルの共振周数に合わせて設定されていることを特徴とする請求項１記載の超音波診断装置。
【請求項７】
前記高音波パルスが、前記基本波と、前記基本波とはそのゼロクロス点において位相がπ／２ずれた２倍高調波とを重畳した波形を有することを特徴とする請求項１記載の超音波診断装置。
【請求項８】
前記高音波パルスが、前記基本波と、前記基本波とはそのゼロクロス点において位相が同じ２倍高調波とを重畳した波形を有することを特徴とする請求項１記載の超音波診断装置。
【請求項９】
前記超音波パルスとして、最大振幅の正音圧側ピーク値が負音圧側ピーク値より大なる最大正圧強調波形、最大振幅の負音圧側ピーク値が正音圧側ピーク値より大なる最大負圧強調波形、超音波音圧波形の立ち上がりが立ち下がりよりも急峻な音圧上昇強調波形、および超音波音圧波形の立ち下がりが立ち上がりよりも急峻な音圧下降強調波形を予め記録しておき、いずれか１つの波形を選択して用いるよう構成したことを特徴とする請求項１記載の超音波診断装置。
【請求項１０】
前記音圧上昇強調波形もしくは最大正圧強調波形を主成分とする超音波パルスを送信する第１のモードと、前記音圧下降強調波形もしくは最大負圧強調波形を主成分とする超音波パルス波を送信する第２のモードとを切替え可能に動作するよう構成したことを特徴とする請求項９記載の超音波診断装置。
【手続補正書】
【提出日】平成16年8月30日(2004.8.30)
【手続補正１】
【補正対象書類名】明細書
【補正対象項目名】００１２
【補正方法】変更
【補正の内容】
【００１２】
すなわち、本発明は、東洋医学の概念である「生命の場」の基本構成要素を水分子として捉え、微小パルス磁界印加後の同寸法の水分子のクラスターの増殖的集合化とプロトンの活性化によって、生体細胞の生化学反応を促進し、白血球の貪食能を増強し、病気を治し、健康を維持・若返りする、というものであり、さらに、微小パルス磁界による純水の電気抵抗率の増殖的減少は誰でも検証できるものであって、西洋科学の「再現性、検証性」に合致するものである。つまり、発明の治癒効果の検証は臨床実施試験によっても検証できるものである。
【手続補正２】
【補正対象書類名】明細書
【補正対象項目名】００２７
【補正方法】変更
【補正の内容】
【００２７】
ｆ＝１０Ｈｚの場合は、１秒間に約１０個のパルス磁界が発生し、続く１秒間は発生せず、間欠的に１秒毎パルス磁界の群を発生させる。この群パルス磁界をバーストパルス磁界という。これは振動的な磁界の塊であって、波動性と粒子性を兼ね備えた磁界であり、生体内の水分子の磁化と同寸法のクラスターの集合化とプロトンの活性化を効率的に行う磁界である。なお、図１は一例であり、磁界波形はいわゆるパルスではなく、種々の交流波形でもよい。
【手続補正３】
【補正対象書類名】明細書
【補正対象項目名】００３３
【補正方法】変更
【補正の内容】
【００３３】
水分子クラスタは、Ｈ+ 3 Ｏ（Ｈ2 Ｏ）n ，ｎ＝０，１，２，…で表現され、地磁気などの直流磁界Ｂdcに対してサイクロトロン周波数ｆc ＝ｑ+ Ｂdc／２πｍn で回転する（ｑ+ はプロトン電荷、ｍn はクラスタの質量）。
【手続補正４】
【補正対象書類名】明細書
【補正対象項目名】００３４
【補正方法】変更
【補正の内容】
【００３４】
したがって水に対してｆc の周波数（Ｂdc＝５０μＴでｆc ≦４０．１Ｈｚ）の微小磁界を印加すれば共振現象で回転する水分子クラスタの大きさ（ｎ）が決定される。
【手続補正５】
【補正対象書類名】明細書
【補正対象項目名】００３５
【補正方法】変更
【補正の内容】
【００３５】
この回転するクラスタは正の電荷ｑ+ を持つため、円電流による磁気モーメントを生じて互いに引き合い集合していく。この集合したクラスタドメインの中を各クラスタのプロトンは長距離のトランスポートを生じて活性化する。
【手続補正６】
【補正対象書類名】図面
【補正対象項目名】図３
【補正方法】変更
【補正の内容】
【図３】
2003088592.tif 000001
【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
月経日を入力する月経日入力手段と、入力された月経日に基づいて測定日の体調を推定する推定手段と、体重値、体脂肪率、体脂肪量、血圧値および脈拍数のうちの少なくとも一つを入力する入力手段と、入力された体重値、体脂肪率、体脂肪量、血圧値または脈拍数を記憶しておく記憶手段と、入力された体重値、体脂肪率、体脂肪量、血圧値または脈拍数と記憶されている体重値、体脂肪率、体脂肪量、血圧値または脈拍数とに基づいて体重値変化、体脂肪率変化、体脂肪量変化、血圧値変化および脈拍数変化のうちの少なくとも１つを求めると共に、これら体重値変化、体脂肪率変化、体脂肪量変化、血圧値変化または脈拍数変化と前記推定された測定日の体調とに基づいて測定日の体調に最適な行動・栄養等に関する各種のアドバイスを選択する制御手段と、選択されたアドバイスを表示する表示手段とを備えることを特徴とする婦人用身体測定装置。
【請求項２】
前記入力手段は、体重値を手入力可能とするキー手段である請求項１に記載の婦人用身体測定装置。
【請求項３】
前記入力手段は、体重計である請求項１に記載の婦人用身体測定装置。
【請求項４】
前記入力手段は、体脂肪率または体脂肪量を手入力可能とするキー手段である請求項１または２または３に記載の婦人用身体測定装置。
【請求項５】
前記入力手段は、体脂肪計である請求項１または２または３に記載の婦人用身体測定装置。
【請求項６】
前記入力手段は、血圧値を手入力可能とするキー手段である請求項１から５のうちのいずれか１つに記載の婦人用身体測定装置。
【請求項７】
前記入力手段は、血圧計である請求項１から５のうちのいずれか１つに記載の婦人用身体測定装置。
【請求項８】
前記入力手段は、脈拍数を手入力可能とするキー手段である請求項１から７のうちのいずれか１つに記載の婦人用身体測定装置。
【請求項９】
前記入力手段は、脈拍計である請求項１から７のうちのいずれか１つに記載の婦人用身体測定装置。
【請求項１０】
前記表示手段は、体重値、体脂肪率、体脂肪量、血圧値、および脈拍数のうちの少なくとも１つを表示するＬＣＤと、女性の体調を表示する複数のＬＥＤとを備える請求項１から９のうちのいずれか１つに記載の婦人用身体測定装置。
【請求項１１】
前記表示手段の表示エリアは、コンパクトサイズであり、体重値、体脂肪率、体脂肪量、脈拍数、および血圧値のうちの少なくとも一つと、測定日、測定日の月経日からの位置、測定日の月経日からの経過日数、過去の月経周期日数および体調の名前を表示するエリアから成る請求項１から１０のうちのいずれか１つに記載の婦人用身体測定装置。
【請求項１２】
前記表示手段の表示エリアは、コンパクトサイズであり、体重値、体脂肪率、体脂肪量、脈拍数、および血圧値のうちの少なくとも一つの月経周期内変化を示すグラフ、測定日、測定日の月経日からの位置、測定日の月経日からの経過日数および過去の月経周期日数を表示するエリアから成る請求項１から１１のうちのいずれか１つに記載の婦人用身体測定装置。
【手続補正２】
【補正対象書類名】明細書
【補正対象項目名】０００６
【補正方法】変更
【補正の内容】
【０００６】
【課題を解決するための手段】
本発明の一つの観点によれば、月経日を入力する月経日入力手段と、入力された月経日に基づいて測定日の体調を推定する推定手段と、体重値、体脂肪率、体脂肪量、血圧値および脈拍数のうちの少なくとも一つを入力する入力手段と、入力された体重値、体脂肪率、体脂肪量、血圧値または脈拍数を記憶しておく記憶手段と、入力された体重値、体脂肪率、体脂肪量、血圧値または脈拍数と記憶されている体重値、体脂肪率、体脂肪量、血圧値または脈拍数とに基づいて体重値変化、体脂肪率変化、体脂肪量変化、血圧値変化および脈拍数変化のうちの少なくとも１つを求めると共に、これら体重値変化、体脂肪率変化、体脂肪量変化、血圧値変化または脈拍数変化と前記推定された測定日の体調とに基づいて測定日の体調に最適な行動・栄養等に関する各種のアドバイスを選択する制御手段と、選択されたアドバイスを表示する表示手段とを備えることを特徴とする婦人用身体測定装置が提供される。
【手続補正３】
【補正対象書類名】明細書
【補正対象項目名】０００７
【補正方法】変更
【補正の内容】
【０００７】
本発明の一つの実施の形態によれば、前記入力手段は、体重値を手入力可能とするキー手段である。
【手続補正４】
【補正対象書類名】明細書
【補正対象項目名】０００８
【補正方法】変更
【補正の内容】
【０００８】
本発明の別の実施の形態によれば、前記入力手段は、体重計である。
【手続補正５】
【補正対象書類名】明細書
【補正対象項目名】０００９
【補正方法】変更
【補正の内容】
【０００９】
本発明の一つの実施の形態によれば、前記入力手段は、体脂肪率または体脂肪量を手入力可能とするキー手段である。
【手続補正６】
【補正対象書類名】明細書
【補正対象項目名】００１０
【補正方法】変更
【補正の内容】
【００１０】
本発明の別の実施の形態によれば、前記入力手段は、体脂肪計である。
【手続補正７】
【補正対象書類名】明細書
【補正対象項目名】００１１
【補正方法】変更
【補正の内容】
【００１１】
本発明の一つの実施の形態によれば、前記入力手段は、血圧値を手入力可能とするキー手段である。
【手続補正８】
【補正対象書類名】明細書
【補正対象項目名】００１２
【補正方法】変更
【補正の内容】
【００１２】
本発明の別の実施の形態によれば、前記入力手段は、血圧計である。
【手続補正９】
【補正対象書類名】明細書
【補正対象項目名】００１３
【補正方法】変更
【補正の内容】
【００１３】
本発明の一つの実施の形態によれば、前記入力手段は、脈拍数を手入力可能とするキー手段である。
【手続補正１０】
【補正対象書類名】明細書
【補正対象項目名】００１４
【補正方法】変更
【補正の内容】
【００１４】
本発明の別の実施の形態によれば、前記入力手段は、脈拍計である。
【手続補正書】
【提出日】平成16年8月16日(2004.8.16)
【手続補正１】
【補正対象書類名】明細書
【補正対象項目名】０００３
【補正方法】変更
【補正の内容】
【０００３】
【発明が解決しようとする課題】
一般的にスクリュープレスは、低速回転のため動力が小さく、ろ材の目が比較
的大きいので目詰まりが少なく、ベルトプレスに比べてろ材の洗浄水量は大幅に
少ない利点があるが、スクリュープレスのろ過面は、外筒の片面ろ過であり、必要なろ過面積を確保するための占有スペースが大きくなっていた。また、汚泥中に無機質が多く含まれる浄水スラッジにあっては、排出口に背圧を加えて圧搾脱水を行うため、スクリュー羽根の先端が摩耗して脱水性能が低下する欠点があった。この発明は、従来のスクリュープレスの後段に重力による圧密作用を利用した脱水筒を加え、スクリュープレスで汚泥を濃縮し、摩耗の発生する脱水工程を脱水筒に坦わせる連続加圧脱水機を提供する。
【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
実験式：
ＭｏａＶｂＭｃＸｄＯｅ
〔式中、ＭはＴｅ、ＳｂおよびＮｂからなる群から選択される元素であり、さらにＸはＳｃ、Ｙ、Ｌａ、Ｒｅ、Ｉｒ、Ｃｕ、Ａｇ、Ａｕ、Ｚｎ、Ｇａ、Ｓｉ、Ｇｅ、Ａｓ、Ｐｂ、Ｓ、Ｓｅ、Ｓｎ、Ｂｉ、Ｆ、Ｃｌ、ＢｒおよびＩからなる群から選択される元素であり、ａ＝１のとき、ｂ＝０．０１から１．０、ｃ＝０．０１から１．０、ｄ＝０から１であり、ｅは他の元素の酸化状態に応じて変化する；ただしｄ＝０の時、ＭはＮｂおよびＴｅからなる群から選択され；さらにｄ＝０であってＭ＝Ｔｅのとき、０．０１≦ｂ＜０．５０または０．１７＜ｃ≦１．０である。〕
を有する混合金属酸化物を含む触媒。
【請求項２】
以下の工程を含む方法により調製される、請求項１記載の触媒：
（ｉ）必要に応じてＭｏ、Ｖ、ＭおよびＸ元素の化合物、および水を含む溶剤を混合し、元素Ｍｏ、Ｖ、ＭおよびＸの少なくとも２つを含むが全部は含まない第１の混合物を形成し、
（ｉｉ）該第１の混合物を８０℃から１５０℃の温度に５分から４８時間加熱し、
（ｉｉｉ）ついで、必要に応じ、Ｍｏ、Ｖ、ＭおよびＸ元素の化合物を前記第１の混合物と混合し、Ｍｏ、Ｖ、ＭおよびＸ元素をａ、ｂ、ｃおよびｄであって、ａ＝１のとき、ｂ＝０．０１から１．０、ｃ＝０．０１から１．０、ｄ＝０から１であるそれぞれの原子比率で含む第２の混合物を形成し、
（ｉｖ）加圧下、密閉容器中で、該第２の混合物を５０℃から３００℃の温度に１時間から数週間の間加熱し、
（ｖ）該密閉容器から不溶性物質を回収し、触媒を得る。
【請求項３】
前記方法が（ｖｉ）回収された不溶性物質を焼成する工程をさらに含む、請求項２記載の触媒。
【請求項４】
焼成が、回収された不溶性物質を酸化性雰囲気下で第１の温度に加熱し、ついで処理された回収された不溶性物質を非酸化性雰囲気下で第１の温度から第２の温度に加熱することを含む、請求項３記載の触媒。
【請求項５】
密閉容器がオートジニアス圧力下である、請求項２記載の触媒。
【請求項６】
水を含む溶剤が、水からなる、請求項２記載の触媒。
【請求項７】
第１の混合物がＭｏ、ＭおよびＸ元素を含む、請求項２記載の触媒。
【請求項８】
Ｍ＝Ｔｅである、請求項７記載の触媒。
【請求項９】
第１の混合物がＭｏ、およびＭ元素を含む、請求項２記載の触媒。
【請求項１０】
Ｍ＝Ｔｅである、請求項９記載の触媒。
【請求項１１】
実験式：
ＭｏａＶｂＭｃＸｄＯｅ
〔式中、ＭはＴｅ、ＳｂおよびＮｂからなる群から選択される元素であり、さらにＸはＳｃ、Ｙ、Ｌａ、Ｒｅ、Ｉｒ、Ｃｕ、Ａｇ、Ａｕ、Ｚｎ、Ｇａ、Ｓｉ、Ｇｅ、Ａｓ、Ｐｂ、Ｓ、Ｓｅ、Ｓｎ、Ｂｉ、Ｆ、Ｃｌ、ＢｒおよびＩからなる群から選択される元素であり、ａ＝１のとき、ｂ＝０．０１から１．０、ｃ＝０．０１から１．０、ｄ＝０から１であり、ｅは他の元素の酸化状態に応じて変化する；ただしｄ＝０の時、ＭはＮｂおよびＴｅからなる群から選択され；さらにｄ＝０であってＭ＝Ｔｅのとき、０．０１≦ｂ＜０．５０または０．１７＜ｃ≦１．０である。〕
を有する混合金属酸化物を含む触媒の製造方法であって、
（ｉ）必要に応じてＭｏ、Ｖ、ＭおよびＸ元素の化合物、および水を含む溶剤を混合し、元素Ｍｏ、Ｖ、ＭおよびＸの少なくとも２つを含むが全部は含まない第１の混合物を形成し、
（ｉｉ）該第１の混合物を８０℃から１５０℃の温度に５分から４８時間加熱し、
（ｉｉｉ）ついで、必要に応じ、Ｍｏ、Ｖ、ＭおよびＸ元素の化合物を前記第１の混合物と混合し、Ｍｏ、Ｖ、ＭおよびＸ元素をａ、ｂ、ｃおよびｄであって、ａ＝１のとき、ｂ＝０．０１から１．０、ｃ＝０．０１から１．０、ｄ＝０から１であるそれぞれの原子比率で含む第２の混合物を形成し、
（ｉｖ）加圧下、密閉容器中で、該第２の混合物を５０℃から３００℃の温度に１時間から数週間の間加熱し、
（ｖ）該密閉容器から不溶性物質を回収し、触媒を得る工程を含む方法。
【請求項１２】
前記方法が（ｖｉ）回収された不溶性物質を焼成する工程をさらに含む、請求項１１記載の方法。
【請求項１３】
焼成が、回収された不溶性物質を酸化性雰囲気下で第１の温度に加熱し、ついで処理された回収された不溶性物質を非酸化性雰囲気下で第１の温度から第２の温度に加熱することを含む、請求項１２記載の方法。
【請求項１４】
密閉容器がオートジニアス圧力下である、請求項１１記載の方法。
【請求項１５】
水を含む溶剤が、水からなる、請求項１１記載の方法。
【請求項１６】
第１の混合物がＭｏ、ＭおよびＸ元素を含む、請求項１１記載の方法。
【請求項１７】
Ｍ＝Ｔｅである、請求項１６記載の方法。
【請求項１８】
第１の混合物がＭｏ、およびＭ元素を含む、請求項１１記載の方法。
【請求項１９】
Ｍ＝Ｔｅである、請求項１８記載の方法。
【請求項２０】
請求項１記載の触媒の存在下でアルカン、またはアルカンとアルケンの混合物を気相触媒酸化反応に付すことを含む不飽和カルボン酸の製造方法。
【請求項２１】
請求項１記載の触媒の存在下でアルカン、またはアルカンとアルケンの混合物、およびアンモニアを気相触媒酸化反応に付すことを含む不飽和ニトリルの製造方法。
【手続補正書】
【提出日】平成16年4月20日(2004.4.20)
【手続補正１】
【補正対象書類名】明細書
【補正対象項目名】請求項１
【補正方法】変更
【補正の内容】
【請求項１】
クロック信号とデータ信号とが符号化されたデータについてのデータ転送速度の判定方法であって、
少なくとも前記データを復号化して得られるクロック信号に基づいて前記データの転送速度を判定するようにしたことを特徴とするデータ転送速度の判定方法。
【手続補正２】
【補正対象書類名】明細書
【補正対象項目名】請求項３
【補正方法】変更
【補正の内容】
【請求項３】
クロック信号とデータ信号とが符号化されたデータを復号化して得られるライトクロック信号に基づいて前記データ信号を記憶手段に書き込むとともに、前記ライトクロック信号に基づいて前記データの転送速度を判定し、その判定した転送速度に対応した周波数のリードクロック信号を生成し、前記記憶手段に書き込まれたデータ信号を前記リードクロック信号に応答して読み出し、その読み出されたデータ信号とリードクロック信号を符号化して出力するデータ転送方法。
【手続補正３】
【補正対象書類名】明細書
【補正対象項目名】請求項６
【補正方法】変更
【補正の内容】
【請求項６】
クロック信号とデータ信号とが符号化されたデータを入力し、データ信号とライトクロック信号を復号化する復号化回路部と、
前記復号化回路が復号化したライトクロック信号に基づいて前記データの転送速度を判定してその判定した転送速度に対応した周波数のリードクロック信号を生成する転送速度判定回路部と、
前記ライトクロック信号に応答して前記データ信号が順次書き込まれるとともに、前記リードクロック信号に応答して前記書き込まれたデータ信号がその書き込まれた順に読み出される記憶部と、
前記記憶部から順次読み出されたデータ信号と前記リードクロック信号とを符号化し、その符号化したデータを出力する符号化回路部と
を備えたことを特徴とするデータ転送装置。
【手続補正４】
【補正対象書類名】明細書
【補正対象項目名】００１１
【補正方法】変更
【補正の内容】
【００１１】
【課題を解決するための手段】
請求項１に記載の発明は、クロック信号とデータ信号とが符号化されたデータについてのデータ転送速度の判定方法であって、少なくとも前記データを復号化して得られるクロック信号に基づいて前記データの転送速度を判定するようにした。


【手続補正５】
【補正対象書類名】明細書
【補正対象項目名】００１３
【補正方法】変更
【補正の内容】
【００１３】
請求項３に記載の発明は、クロック信号とデータ信号とが符号化されたデータを復号化して得られるライトクロック信号に基づいて前記データ信号を記憶手段に書き込むとともに、前記ライトクロック信号に基づいて前記データの転送速度を判定し、その判定した転送速度に対応した周波数のリードクロック信号を生成し、前記記憶手段に書き込まれたデータ信号を前記リードクロック信号に応答して読み出し、その読み出されたデータ信号とリードクロック信号を符号化して出力するデータ転送方法をその要旨とする。


【手続補正６】
【補正対象書類名】明細書
【補正対象項目名】００１６
【補正方法】変更
【補正の内容】
【００１６】
請求項６に記載の発明は、クロック信号とデータ信号とが符号化されたデータを入力し、データ信号とライトクロック信号を復号化する復号化回路部と、前記復号化回路が復号化したライトクロック信号に基づいて前記データの転送速度を判定してその判定した転送速度に対応した周波数のリードクロック信号を生成する転送速度判定回路部と、前記ライトクロック信号に応答して前記データ信号が順次書き込まれるとともに、前記リードクロック信号に応答して前記書き込まれたデータ信号がその書き込まれた順に読み出される記憶部と、前記記憶部から順次読み出されたデータ信号と前記リードクロック信号とを符号化し、その符号化したデータを出力する符号化回路部とを備えたデータ転送装置をその要旨とする。


【手続補正７】
【補正対象書類名】明細書
【補正対象項目名】００１８
【補正方法】変更
【補正の内容】
【００１８】
（作用）
請求項１の記載の発明によれば、データを復号化して得られるクロック信号を計時すれば符号化されたデータの転送速度を判定することができることから、アナログ値によって転送速度を判定するのにくらべて、使用環境に左右されることなく転送速度の情報を確実に判定することができる。


【手続補正８】
【補正対象書類名】明細書
【補正対象項目名】００２１
【補正方法】変更
【補正の内容】
【００２１】
請求項６の記載の発明によれば、復号化回路部は符号化されたデータを入力し、そのデータに基づいてデータ信号とライトクロック信号とに復号する。転送速度判定回路部は、その復号化回路が復号化したライトクロック信号に基づいて前記データの転送速度を判定してその判定した転送速度に対応した周波数のリードクロック信号を生成する。記憶部は、ライトクロック信号に応答して前記データ信号が順次書き込まれるとともに、前記リードクロック信号に応答して前記書き込まれたデータ信号がその書き込まれた順に読み出される。符号化回路部は、記憶部から順次読み出されたデータ信号と前記リードクロック信号とを符号化し、その符号化したデータを出力する。従って、アナログ値によって転送速度を判定するのにくらべて、使用環境に左右されることなく転送速度の情報を確実に判定することができるとともに、例えば、ＩＥＥＥ１３９４におけるスピードシグナリングを省略してリピート転送を行うことができることから、転送効率をあげることができる。


【手続補正９】
【補正対象書類名】明細書
【補正対象項目名】００２５
【補正方法】変更
【補正の内容】
【００２５】
図２は、パーソナルコンピュータ１のインタフェース装置１０の一部ブロック回路を示す。
図２において、インタフェース装置１０の物理層処理部１１には、復号化回路及び符号化回路としての第１及び第２ＤＳデコーダ・エンコーダ１２，１３及びデータ転送速度制御回路１４を備えている。


【手続補正１０】
【補正対象書類名】明細書
【補正対象項目名】００２６
【補正方法】変更
【補正の内容】
【００２６】
第１ＤＳデコーダ・エンコーダ１２は第１入出力ポート１ａを介してバスケーブル４と接続され、前記デジタルビデオカメラ２との間でデータの授受を行う。
第１ＤＳデコーダ・エンコーダ１２はデジタルビデオカメラ２からのＤＳ−ＬＩＮＫ（Data-Strobe Link）符号化方式で符号化されたデータ（データ信号とストローブ信号）を入力して、ライトクロック信号としてのＤＳクロック信号ＣＬ１及びデータ信号Ｄ１を生成（復号）してデータ転送速度制御回路１４に出力する。


【手続補正１１】
【補正対象書類名】明細書
【補正対象項目名】００２８
【補正方法】変更
【補正の内容】
【００２８】
第２ＤＳデコーダ・エンコーダ１３は第２入出力ポート１ｂを介してバスケーブル５と接続され、前記プリンタ３との間でデータの授受を行う。第２ＤＳデコーダ・エンコーダ１３はプリンタ３からのＤＳ−ＬＩＮＫ（Data-Strobe Link）符号化方式で符号化されたデータ（データ信号とストローブ信号）を入力して、ＤＳクロック信号ＣＬ１及びＤＳデータ信号Ｄ１を生成（復号）してデータ転送速度制御回路１４に出力する。